(57)【要約】【課題】本発明は、ミドルフレームを有する液晶表示装置において、異物による表示不良を抑制することができる液晶表示装置を提供することを目的とする。【解決手段】本発明に係る液晶表示装置は、液晶パネル２００と面状光源装置５０とが対面するように、当該液晶パネル２００および当該面状光源装置５０を支持するミドルフレーム（支持フレーム）１００を、備えている。当該ミドルフレーム１００は、液晶パネル２００の主面側を支持するパネル搭載部（第一のフレーム部）１１０と、液晶パネル２００の側面を囲繞する周辺部（第二のフレーム部）１１５とを、有している。さらに、当該パネル搭載部１１０部と周辺部１１５とが接続する接続部Ｃ１は、Ｒ形状を有している。【選択図】図２
2011247923.tif 000002
【特許請求の範囲】
【請求項１】
液晶パネルと、
面状光源装置と、
前記液晶パネルと前記面状光源装置とが対面するように、前記液晶パネルおよび前記面状光源装置を支持する支持フレームとを、備えており、
前記支持フレームは、
前記液晶パネルの主面側を支持する第一のフレーム部と、
前記液晶パネルの側面を囲繞する第二のフレーム部とを、有しており、
前記第一のフレーム部と前記第二のフレーム部とが接続する接続部は、
Ｒ形状を有している、
ことを特徴とする液晶表示装置。
【請求項２】
前記Ｒ形状は、
半径０．５ｍｍ以上のＲ形状である、
ことを特徴とする請求項１に記載の液晶表示装置。
【請求項３】
前記第一のフレーム部と前記第二のフレーム部は、
鈍角を成して接続している、
ことを特徴とする請求項１または請求項２に記載の液晶表示装置。
【請求項４】
液晶パネルと、
面状光源装置と、
前記液晶パネルと前記面状光源装置とが対面するように、前記液晶パネルおよび前記面状光源装置を支持する支持フレームとを、備えており、
前記支持フレームは、
前記液晶パネルの主面側を支持する第一のフレーム部と、
前記液晶パネルの側面を囲繞する第二のフレーム部とを、有しており、
前記第一のフレーム部と前記第二のフレーム部は、
鈍角を成して接続している、
ことを特徴とする液晶表示装置。
【請求項５】
液晶パネルと、面状光源装置と、前記液晶パネルと前記面状光源装置とが対面するように、前記液晶パネルおよび前記面状光源装置を支持する支持フレームとを、備えており、前記支持フレームは、前記液晶パネルの主面側を支持する第一のフレーム部と、前記液晶パネルの側面を囲繞する第二のフレーム部とを、有している、液晶表示装置の製造方法であって、
前記第一のフレーム部と前記第二のフレーム部とが接続する接続部に対応する箇所に、Ｒ形状を有している金型を用いて、前記支持フレームを作成する、
ことを特徴とする液晶表示装置の製造方法。
【請求項６】
液晶パネルと、面状光源装置と、前記液晶パネルと前記面状光源装置とが対面するように、前記液晶パネルおよび前記面状光源装置を支持する支持フレームとを、備えており、前記支持フレームは、前記液晶パネルの主面側を支持する第一のフレーム部と、前記液晶パネルの側面を囲繞する第二のフレーム部とを、有している、液晶表示装置の製造方法であって、
前記第一のフレーム部と前記第二のフレーム部との接続部に対応する部分が、鈍角の内角を形成している金型を用いて、前記支持フレームを作成する、
ことを特徴とする液晶表示装置の製造方法。
【発明の詳細な説明】
【技術分野】
【０００１】
本発明は、液晶表示装置および液晶表示装置の製造方法に関し、特に、液晶パネルを支持する支持フレームを有する液晶表示装置、および当該液晶表示装置の製造方法に関する。
【背景技術】
【０００２】
液晶表示装置は、一般に、フロントフレームとリアフレームとで構成される筐体内に、液晶パネルおよび面状光源装置を収納した構成を有している。
【０００３】
液晶パネルは、２枚の透明基板を所定の間隔を設けて対向配置し、基板周辺部においてシール材により密封接着すると共に、２枚の透明基板間に液晶層を封入することで形成される。また、液晶パネルの前面および裏面には、偏光性を有する偏光板が貼り付けられている。
【０００４】
このような構成の液晶表示装置を組み立てる際には、ミドルフレームと呼称されるフレームに、面状光源装置を取り付ける。そして、面状光源装置の発光面と対面する位置に液晶パネルを配置させて、当該ミドルフレームは当該液晶パネルを支持する。
【０００５】
当該液晶表示装置の構成を開示している先行文献として、たとえば特許文献１が存在する。
【０００６】
特許文献１に開示されているミドルフレームは、液晶パネルの主面を支持するパネル搭載部と、当該パネル搭載部を土手状に取り囲む周辺部とを有している。また、当該周辺部は、複数箇所においてその一部が、平面視において他の部分よりも液晶パネルに接近する方向に突出した複数のパネルガイド部が形成されている。
【先行技術文献】
【特許文献】
【０００７】
【特許文献１】特開２００７−２８６３９６号公報
【発明の概要】
【発明が解決しようとする課題】
【０００８】
ところで、面状光源装置と液晶表示パネルとの間に存在する異物は、光の進行を妨害し、画質を低下させる。したがって、液晶表示装置が異物により汚染されることを防止するために、面状光源装置および液晶表示パネルは、非常に清浄な環境で製作・組み立てられる。
【０００９】
しかしながら、清浄環境下での製作・組立て、およびブラッシング清掃や吸引清掃等を行っているにも関わらず、大部分の液晶表示装置内において、完全に異物を除去することが出来ない。
【００１０】
このように、液晶表示装置内の異物を完全に除去できないと、特許文献１に開示されているミドルフレームにおいて、パネル搭載部と周辺部とで構成される、直角形状エッジ部に、当該異物が存在する可能性が増加する。当該直角形状のエッジ部に異物が存在すると、パネル搭載部の面と周辺部の面との２面で、異物が２点接触することとなり、摩擦抵抗が大きくなる。したがって、当該エッジには異物が滞積してしまい、液晶表示装置が汚染され、液晶表示装置の表示品質が低下する可能性があった。
【００１１】
また、当該エッジ部に滞積した異物をブラッシング清掃により除去する場合、ブラシ毛先端がエッジ部に届き辛い。したがって、清掃処理によっても、完全はエッジ部に堆積した異物を除去することができない。
【００１２】
そこで、本発明は、ミドルフレームを有する液晶表示装置において、異物による表示不良を抑制することができる液晶表示装置、およびその液晶表示装置の製造方法を提供することを目的とする。
【課題を解決するための手段】
【００１３】
上記の目的を達成するために、本発明の第一の側面に係る液晶表示装置は、液晶パネルと、面状光源装置と、前記液晶パネルと前記面状光源装置とが対面するように、前記液晶パネルおよび前記面状光源装置を支持する支持フレームとを、備えており、前記支持フレームは、前記液晶パネルの主面側を支持する第一のフレーム部と、前記液晶パネルの側面を囲繞する第二のフレーム部とを、有しており、前記第一のフレーム部と前記第二のフレーム部とが接続する接続部は、Ｒ形状を有している。
【００１４】
また、本発明の第二の側面に係る液晶表示装置は、液晶パネルと、面状光源装置と、前記液晶パネルと前記面状光源装置とが対面するように、前記液晶パネルおよび前記面状光源装置を支持する支持フレームとを、備えており、前記支持フレームは、前記液晶パネルの主面側を支持する第一のフレーム部と、前記液晶パネルの側面を囲繞する第二のフレーム部とを、有しており、前記第一のフレーム部と前記第二のフレーム部は、鈍角を成して接続している。
【００１５】
また、本発明の第三の側面に係る液晶表示装置の製造方法は、液晶パネルと、面状光源装置と、前記液晶パネルと前記面状光源装置とが対面するように、前記液晶パネルおよび前記面状光源装置を支持する支持フレームとを、備えており、前記支持フレームは、前記液晶パネルの主面側を支持する第一のフレーム部と、前記液晶パネルの側面を囲繞する第二のフレーム部とを、有している、液晶表示装置の製造方法であって、前記第一のフレーム部と前記第二のフレーム部とが接続する接続部に対応する箇所に、Ｒ形状を有している金型を用いて、前記支持フレームを作成する。
【００１６】
また、本発明の第四の側面に係る液晶表示装置の製造方法は、液晶パネルと、面状光源装置と、前記液晶パネルと前記面状光源装置とが対面するように、前記液晶パネルおよび前記面状光源装置を支持する支持フレームとを、備えており、前記支持フレームは、前記液晶パネルの主面側を支持する第一のフレーム部と、前記液晶パネルの側面を囲繞する第二のフレーム部とを、有している、液晶表示装置の製造方法であって、前記第一のフレーム部と前記第二のフレーム部との接続部に対応する部分が、鈍角の内角を形成している金型を用いて、前記支持フレームを作成する。
【発明の効果】
【００１７】
本発明では、前記第一のフレーム部と前記第二のフレーム部とが接続する接続部は、Ｒ形状を有している。
【００１８】
したがって、当該接続部に異物が混入したとしても、当該接続部に混入した異物とミドルフレームとの摩擦抵抗が削減される。これにより、異物が当該接続部から移動し易くなる。また、接続部はＲ形状を有するので、ブラッシング清掃により異物を除去する場合、ブラシ毛が当該接続部の隅々まで容易に到達する。したがって、接続部に堆積した異物の清掃が簡単に行え、当該堆積した異物を完全に除去できる。以上により、当該ミドルフレームを有する液晶表示装置を採用することにより、異物による表示不良（外観表示不良）を抑制することができる。
【００１９】
また、第一のフレーム部と前記第二のフレーム部とが、鈍角を成して接続している場合には、接続部がＲ形状の場合よりも、ブラシ毛が第一のフレーム部と第二のフレーム部との接続部に確実に届くので、異物の清掃効果がより一層向上する。したがって、接続部がＲ形状の場合よりも、接続部が鈍角を形成している方が、液晶表示装置における異物による表示不良（外観表示不良）を、より抑制することができる。
【図面の簡単な説明】
【００２０】
【図１】液晶パネル２００を支持しているミドルフレーム１００の構成を示す平面図である。
【図２】面状光源装置５０と液晶パネル２００とを支持している、実施の形態１に係るミドルフレーム１００の構成を示す断面図である。
【図３】面状光源装置５０と液晶パネル２００とを支持している、実施の形態２に係るミドルフレーム１０１の構成を示す断面図である。
【発明を実施するための形態】
【００２１】
以下、この発明をその実施の形態を示す図面に基づいて具体的に説明する。
【００２２】
＜実施の形態１＞
本発明に係る液晶表示装置は、フロントフレームとリアフレームとで構成される筐体内に、液晶パネルおよび面状光源装置を収納した構成を有している。ここで、当該液晶表示装置は、ミドルフレーム（支持フレームと把握できる）を有している。面状光源装置の発光面と対面する位置に液晶パネルを配置させた状態で、当該ミドルフレームは、液晶パネルおよび面状光源装置を支持する。
【００２３】
図１は、液晶パネルを支持しているミドルフレームの構成を示す平面図である。また、本実施の形態に係る図１のＡ−Ａ断面の断面構成を、図２に示す。なお、図１、２では、フロントフレームの図示を省略している。ここで、フロントフレームは、開口部を有する箱状のフレームである。当該フロントフレームは、当該開口部から液晶パネルが露出するように、液晶パネルの表示面側からリアパネルと組み合わさる。
【００２４】
また、図１においては、リアフレームの図示も省略している。ここで、図１に示すＸ−Ｙ平面は、液晶表示装置の表示面と一致している。
【００２５】
以下、図１，２を参照して、本実施の形態に係る液晶表示装置の構成について説明する。
【００２６】
液晶パネル２００は、２枚の透明基板２００Ａ，２００Ｂを所定の間隔を設けて対向配置し、基板周辺部においてシール材により密封接着すると共に、透明基板２００Ａと透明基板２００Ｂとの間に液晶層を封入することで形成される。液晶パネル２００の前面（透明基板２００Ａ側表面）および裏面（透明基板２００Ｂ側表面）には、偏光性を有する偏光板２００Ｃ，２００Ｄが各々貼り付けられている。
【００２７】
また、ランプ４１０、リフレクタ４００、導光板３０５、反射シート３１０および拡散シート（光学シート）３００などから、面状光源装置５０が構成される。当該面状光源装置５０は、液晶パネル２００の裏面と対面するように配設される。
【００２８】
導光板３０５は、光源となるランプ４１０から出射された光を、内部で拡散させる。これにより、液晶パネル２００の裏面に均一な光が供給される。リフレクタ４００は、ランプ４１０から出射された光を反射させて、導光板３０５の側面方向に集約して放射させる。当該リフレクタ４００は、導光板３０５と面する側以外の面において、２つのランプ４１０を囲む。
【００２９】
反射シート３１０は、導光板３０５の裏面（液晶パネル２００とは反対側の主面）に貼り付けられる。他方、拡散シート３００は、導光板３０５の前面（液晶パネル２００に対面する主面）に貼り付けられる。ここで、単なる拡散シート３００の代わりに、たとえば、拡散シート−レンズシート−拡散シートが当該順に積層して成る、積層体を採用しても良い。
【００３０】
液晶パネル２００および面状光源装置５０は、ミドルフレーム１００により支持されることにより、位置決めされる。ミドルフレーム１００の一方面に形成された光源収容部１２０において、面状光源装置５０は当該ミドルフレーム１００に支持される。これに対して、ミドルフレーム１００の他方面に形成された、パネル搭載部（一方のフレーム部と把握できる）１１０とパネルガイド部１１７とにおいて、液晶パネル２００は当該ミドルフレーム１００に支持される。
【００３１】
ミドルフレーム１００の前記他方面に着目すると、当該ミドルフレーム１００に設けられた長方形形状の開口部１０５を囲繞するように、当該ミドルフレーム１００にはパネル搭載部１１０が形成されている。当該パネル搭載部１００と図示していないフロントパネルとにより挟まることにより、液晶パネル２００の主面側が支持される。
【００３２】
また、ミドルフレーム１００には、パネル搭載部１１０よりも一段高い位置に存し、当該パネル搭載部１１０を土手状に囲む、周辺部（第二のフレーム部と把握できる）１１５が形成されている。当該周辺部１１５の形成態様から分かるように、また図１，２に示すように、周辺部１１５は、所定の間隔だけ隔てて、ミドルフレーム１００により支持されている液晶パネル２００の側面を囲繞する。
【００３３】
また、ミドルフレーム１００の当該周辺部７２の複数箇所には、平面視において他の部分よりも液晶パネル２００に接近するように突出している、複数のパネルガイド部１１７が形成されている。当該パネルガイド部１１７により、水平方向において液晶パネル２００は支持される。当該パネルガイド部１１７は、ミドルフレーム１００の角コーナ部付近に２個ずつ配設される。
【００３４】
また、上記した光源収容部１２０は、ミドルフレーム１００においてパネル搭載部１１０とは反対側に設けられた開口領域であり、面状光源装置５０を収容することができる。当該光源収容部１２０により面状光源装置５０が収容されると、面状光源装置５０の平面内での動きが規制され、当該面状光源装置５０がミドルフレーム１００により支持される。
【００３５】
パネルガイド部１１７とパネル搭載部１１０とにより液晶パネル２００が支持され、光源収容部１２０により面状光源装置５０が支持された状態では、面状光源装置５０の発光面と液晶パネル２００の裏面とが、長方形形状の開口部１０５を介して対面する。当該対面状態において、面状光源装置５０から出射された光は、液晶パネル２００の裏面側からされる。
【００３６】
液晶パネル２００および面状光源装置５０を支持するミドルフレーム１００は、フロントフレーム（図示せず）とリアフレーム５００とで構成される筐体内に配置される。
【００３７】
さて、図２に示すように、液晶パネル２００の側面部と周辺部１１５の側面部との間には、所定の大きさの空間Ｇａ１が形成される。当該空間Ｇａ１内の異物堆積を抑制するため、本実施の形態に係るミドルフレーム１００は、次の構成を有する。
【００３８】
つまり、パネル搭載部１１０と周辺部１１５とが接続する接続部Ｃ１は、Ｒ形状を有している。ここで、当該Ｒ形状は、半径０．５ｍｍ以上であることが望ましい。
【００３９】
当該接続部Ｃ１がＲ形状を有するミドルフレーム１００は、射出形成により製作される。ここで、当該射出形成の際に使用される金型には、前記接続部Ｃ１に対応する箇所に、意図的にＲ形状が形成されている。当該金型内に、加熱した可塑性樹脂を射出圧を加えて充填することにより、Ｒ形状を有する接続部Ｃ１を有するミドルフレーム１００が製造される。
【００４０】
なお、前記接続部Ｃ１に対応する箇所が直角を成している金型を用いて、射出形成を行った場合においても、極小なＲ形状を有する接続部Ｃ１が形成される。しかし、意図的に、前記接続部Ｃ１に対応する金型の箇所にＲ形状を設け、当該金型を用いた射出形成を行う。これにより、前記微小なＲ形状よりも大きなＲ形状を有する（つまり、明らかにＲ形状と視認できる程度の大きさのもの）接続部Ｃ１が形成される。
【００４１】
なお、前記射出形成以外のミドルフレーム１００の作成方法も採用できる。たとえば、パネル搭載部１１０となる部材と周辺部１１５となる部材とを、Ｒ形状を有するように接着させて、接続部Ｃ１がＲ形状を有するミドルフレーム１００を製造しても良い。
【００４２】
以上のように、本実施の形態に係る液晶表示装置は、パネル搭載部１１０と周辺部１１５とを含むミドルフレーム１００を備えており、当該ミドルフレーム１００において、パネル搭載部１１０と周辺部１１５とが接続する接続部Ｃ１は、Ｒ形状を有している。
【００４３】
したがって、空間Ｇａ内の接続部Ｃ１に異物が混入したとしても、ミドルフレーム１００の複数点で当該異物が接触することを防止できる。つまり、当該接続部Ｃ１に混入した異物は、ミドルフレーム１００の１点のみで接触する。よって、当該接続部Ｃ１に混入した異物とミドルフレーム１００との摩擦抵抗が削減される。これにより、異物が当該接続部Ｃ１から移動し易くなる。また、接続部Ｃ１はＲ形状を有するので、ブラッシング清掃により異物を除去する場合、ブラシ毛が当該接続部Ｃ１の隅々まで容易に到達する。したがって、接続部Ｃ１に堆積した異物の清掃が簡単に行え、当該堆積した異物を完全に除去できる。
【００４４】
このように、本実施の形態に係るミドルフレーム１００は、接続部Ｃ１においてＲ形状を有するので、当該接続部Ｃ１における異物の滞積を抑制でき、かつ、清掃処理による異物除去効果を向上させることができる。したがって、当該ミドルフレーム１００を有する液晶表示装置を採用することにより、異物による表示不良（外観表示不良）を抑制することができる。
【００４５】
なお、液晶表示装置に混入する異物の径は、一般的に０．５ｍｍより小さい。したがって、当該異物の堆積抑制・除去の観点から、接続部Ｃ１におけるＲ形状を、半径０．５ｍｍ以上とすることが望ましい。
【００４６】
また、ミドルフレーム１００の射出形成の際には、接続部Ｃ１に対応する位置に意図的にＲ形状を設けた金型を用いることが望ましい。当該金型を用いることにより、確実にかつ簡単に、大きなＲ形状となる接続部Ｃ１を有するミドルフレーム１００を製造することができる。
【００４７】
＜実施の形態２＞
本実施の形態に係るミドルフレーム１０１の断面構成を、図３に示す。
【００４８】
本実施の形態に係る液晶表示装置と実施の形態１に係る液晶表示装置とは、ミドルフレーム１０１の構成（より具体的には、パネル搭載部１１０と周辺部１１５とが接続する接続部の形状）以外の構成は、両実施の形態で同じである。したがって、以下では、両実施の形態の相違点、つまり、ミドルフレーム１００におけるパネル搭載部１１０と周辺部１１５とが接続する接続部の形状についてのみ、説明する。
【００４９】
本実施の形態では、パネル搭載部（第一のフレーム部と把握できる）１１０と周辺部（第二のフレーム部と把握できる）１１５とは、鈍角を成して接続している。図３に示すように、パネル搭載部１１０と周辺部１１５とで成す角ＴＨは、鈍角（９０度より大きく、１８０度未満）である。
【００５０】
パネル搭載部１１０と周辺部１１５とが接続する部分が鈍角形状を有するミドルフレーム１０１は、射出形成により製作される。ここで、当該射出形成の際に使用される金型は、パネル搭載部１１０と周辺部１１５との接続部に対応する部分に、意図的に鈍角の内角が形成されている。当該金型内に、加熱した可塑性樹脂を射出圧を加えて充填することにより、パネル搭載部１１０と周辺部１１５とが接続する部分が鈍角形状を有するミドルフレーム１０１が製造される。
【００５１】
なお、パネル搭載部１１０と周辺部１１５とが接続する部分に対応する箇所が直角を成している金型を用いて、射出形成を行った場合においても、製造されるミドルフレーム１０１において当該接続する部分は、金型抜きテーパー以上の微小鈍角（９０度に極めて近い鈍角）を有する。
【００５２】
しかし、意図的に、金型の前記接続する部分に対応する箇所に鈍角の内角を設け、当該金型を用いた射出形成を行う。これにより、パネル搭載部１１０と周辺部１１５とが接続する部分が、前記微小鈍角よりも大きな鈍角（つまり、明らかに鈍角と視認できる程度の大きさのもの）を有する、ミドルフレーム１０１が形成される。
【００５３】
なお、前記射出形成以外のミドルフレーム１０１の作成方法も採用できる。たとえば、パネル搭載部１１０となる部材と周辺部１１５となる部材とが、鈍角を成して接続するように、当該両部材１１０，１１５を接着させて、ミドルフレーム１０１を製造しても良い。
【００５４】
以上のように、本実施の形態に係る液晶表示装置は、パネル搭載部１１０と周辺部１１５とを含むミドルフレーム１０１を備えており、当該ミドルフレーム１０１において、パネル搭載部１１０と周辺部１１５とは、鈍角を成して接続している。
【００５５】
したがって、液晶パネル２００の側面部と周辺部１１５の側面部と間に生成される空間Ｇａ２内の、パネル搭載部１１０と周辺部１１５との接続部に異物が混入したとしても、ミドルフレーム１０１の複数点で当該異物が接触することを防止できる。つまり、当該接続部に混入した異物は、ミドルフレーム１０１の１点のみで接触する。よって、当該接続部に混入した異物とミドルフレーム１０１との摩擦抵抗が削減される。これにより、異物が当該接続部から移動し易くなる。また、接続部の角度ＴＨは鈍角であるので、ブラッシング清掃により異物を除去する場合、ブラシ毛と周辺部１１５が干渉し難くなり、実施の形態１の発明の場合よりも、更にブラシ毛が接続部に届き易くなる。
【００５６】
このように、本実施の形態に係るミドルフレーム１０１は、パネル搭載部１１０と周辺部１１５とは鈍角を成して接続するので、清掃処理による異物除去効果が一層向上する。したがって、当該ミドルフレーム１０１を有する液晶表示装置を採用することにより、異物による表示不良（外観表示不良）を、実施の形態１よりも抑制することができる。
【００５７】
また、ミドルフレーム１０１の射出形成の際には、パネル搭載部１１０と周辺部１１５との接続部に対応する位置に意図的に鈍角の内角を設けた金型を用いることが望ましい。当該金型を用いることにより、確実にかつ簡単に、パネル搭載部１１０と周辺部１１５との接続部が大きな鈍角を有する当該接続部を有するミドルフレーム１０１を製造することができる。
【００５８】
なお、実施の形態１と実施の形態２とを組み合わせても良い。つまり、パネル搭載部１１０と周辺部１１５とが接続する部分が、Ｒ形状を有していると共に、パネル搭載部１１０と周辺部１１５とは、鈍角を成して接続されていても良い。
【符号の説明】
【００５９】
５０  面状光源装置、１００，１０１  ミドルフレーム（支持フレーム）、１０５  開口部、１１０  パネル搭載部（第一のフレーム部）、１１５  周辺部（第二のフレーム部）、１１７  パネルガイド部、１２０  光源収容部、２００  液晶パネル、２００Ａ，２００Ｂ  透明基板、２００Ｃ，２００Ｄ  偏光板、３００  拡散シート、３０５  導光板、３１０  反射シート、４００  リフレクタ、４１０  ランプ、５００  リアフレーム、Ｃ１  接続部、Ｇａ１，Ｇａ２  空間、ＴＨ  角度。
【図１】
2011247923.tif 000003
【図２】
2011247923.tif 000004
【図３】
2011247923.tif 000005